(57)【要約】【課題】  文書情報出力装置が構造化文書情報を１ページ単位で出力する際に、処理負荷をかけることなく出力することができる文書情報出力システムを提供する。【解決手段】  文書情報サーバが文書情報出力装置から当該文書情報出力装置のページ出力仕様情報と文書識別情報とを受信し、その受信した文書識別情報に対応する構造化文書情報を、構造化文書情報記憶手段から読み取る。そしてその読み取った構造化文書情報と受信したページ出力仕様情報とに基づいて、文書情報出力装置の出力する１ページ毎の分割位置を決定し、当該分割位置とページ番号とを対応付けて保持したページ情報を作成する。また構造化文書情報記憶手段から読み取った構造化文書情報とページ情報とを文書情報出力装置に送信する。さらに文書情報出力装置が文書情報サーバから受信した構造化文書情報及びページ情報とに基づいて、受信した構造化文書情報の１ページ分を出力する。【選択図】    図１
2005115542.tif 000002
【特許請求の範囲】
【請求項１】
文書情報サーバと文書情報出力装置とが通信ネットワークを介して接続された文書情報出力システムであって、
前記文書情報サーバが、
文書識別情報と構造化文書情報とを対応付けて記憶する構造化文書情報記憶手段と、
前記文書情報出力装置から当該文書情報出力装置のページ出力仕様情報と前記文書識別情報とを受信する受信手段と、
前記受信した文書識別情報に対応する前記構造化文書情報を、前記構造化文書情報記憶手段から読み取る文書情報読み取り手段と、
その読み取った構造化文書情報と前記受信したページ出力仕様情報とに基づいて、前記文書情報出力装置の出力する１ページ毎の分割位置を決定し、当該分割位置とページ番号とを対応付けて保持したページ情報を作成するページ情報作成手段と、
前記読み取った構造化文書情報と前記ページ情報とを前記文書情報出力装置に送信する送信処理手段とを備え、
前記文書情報出力装置が、
前記文書情報サーバへ前記文書識別情報と前記ページ出力仕様情報とを送信する構造化文書情報要求手段と、
前記文書情報サーバから受信した前記構造化文書情報及び前記ページ情報とに基づいて、前記受信した構造化文書情報の前記１ページ分を出力する出力手段とを備える
ことを特徴とする文書情報出力システム。
【請求項２】
前記送信処理手段は、前記文書情報読み取り手段が前記構造化文書情報記憶手段から読み取った前記構造化文書情報と前記ページ情報とを前記文書情報出力装置に送信する代わりに、前記ページ情報に基づいて、前記文書情報読み取り手段が前記構造化文書情報記憶手段から読み取った前記構造化文書情報の前記１ページ分を前記文書情報出力装置に送信し、
前記文書情報出力装置が、
前記文書情報サーバから受信した前記１ページ分を出力する出力手段を備える
ことを特徴とする文書情報出力システム。
【請求項３】
文書情報サーバと文書情報出力装置とが通信ネットワークを介して接続された文書情報出力システムにおける文書情報出力方法であって、
前記文書情報出力装置が、前記文書情報サーバへ文書識別情報とページ出力仕様情報とを送信する構造化文書情報要求過程と、
前記文書情報サーバが、前記文書情報出力装置から当該文書情報出力装置のページ出力仕様情報と前記文書識別情報とを受信する受信過程と、
前記文書情報サーバが、前記受信した文書識別情報に対応する前記構造化文書情報を、前記文書識別情報と前記構造化文書情報とを対応付けて記憶する構造化文書情報記憶手段から読み取る文書情報読み取り過程と、
前記文書情報サーバが、その読み取った構造化文書情報と前記受信したページ出力仕様情報とに基づいて、前記文書情報出力装置の出力する１ページ毎の分割位置を決定し、当該分割位置とページ番号とを対応付けて保持したページ情報を作成するページ情報作成過程と、
前記文書情報サーバが、前記読み取った構造化文書情報と前記ページ情報とを前記文書情報出力装置に送信する送信処理過程と、
前記文書情報出力装置が、前記文書情報サーバから受信した前記構造化文書情報及び前記ページ情報とに基づいて、前記受信した構造化文書情報の前記１ページ分を出力する出力過程と、
を有することを特徴とする文書情報出力方法。
【請求項４】
前記文書情報出力装置が、前記送信処理過程において、前記文書情報読み取り過程で前記構造化文書情報記憶手段から読み取った前記構造化文書情報と前記ページ情報とを前記文書情報出力装置に送信する代わりに、前記ページ情報に基づいて、前記文書情報読み取り過程で前記構造化文書情報記憶手段から読み取った前記構造化文書情報の前記１ページ分を前記文書情報出力装置に送信し、
前記文書情報出力装置が、前記出力過程において、前記文書情報サーバから受信した前記１ページ分を出力する
ことを特徴とする文書情報出力方法。
【発明の詳細な説明】
【技術分野】
【０００１】
本発明は、文書情報出力装置が文書情報サーバの保持する構造化文書情報を受信し、文書情報出力装置がその受信した構造化文書情報を出力する文書情報出力システム及び文書情報出力方法に関する。
【背景技術】
【０００２】
従来、端末とサーバが通信ネットワークを介して接続されたシステムにおいて、端末が通信ネットワークを経由してサーバにアクセスし、そのサーバで記憶している文書情報を画面に表示する技術が存在する。ここで、文書情報のデータ量が多い場合には、画面に表示される文書のページが長くなる。しかしながら端末の画面は縦の長さが決まっているので、ページが長い場合などには、端末は画面にスクロールバーを表示し、そして、ユーザのスクロールバーの上下の操作に基づいて、画面外のはみ出したページ部分を徐々に表示している。このような長いページの一部分を画面に表示し、スクロールバーの上下によって画面からはみ出した部分を順次表示させる端末の表示方法においては、ページの中で参照したい部分を画面に表示させるまでユーザはスクロールバーの上下の操作を行なわなければならないという問題や、長いページのどの辺りにユーザの参照したい部分があるのかをいちいち探さなければならないと言った問題があり不便であった。そして、この問題を解決する為の方法として構造化文書を分割して画面に表示する技術が提案されている（例えば、特許文献１参照）。
【特許文献１】特開２００２−８２９３０号公報
【発明の開示】
【発明が解決しようとする課題】
【０００３】
しかしながら、上述の特許文献１の技術は、構造化文書を分割して、その分割後の構造化文書を画面に表示しているが、端末の画面に表示されるページが画面内に収まらない可能性がある。また端末以外に、プリンターが通信ネットワークを介してサーバからデータ量の多い文書情報を取得しその文書情報を印刷する場合においては、プリンターは１ページに印刷できる文書情報のデータ量を1ページずつ決定する処理を行なわなければばならないので、その分の処理に時間がかかっていた。
そこでこの発明は、上述の端末やプリンターなどの文書情報出力装置が構造化文書情報を１ページ単位で出力する際に、処理負荷をかけることなく出力することができる文書情報出力システム及び文書情報出力方法を提供することを目的としている。
【課題を解決するための手段】
【０００４】
本発明は、上述の課題を解決すべくなされたもので、文書情報サーバと文書情報出力装置とが通信ネットワークを介して接続された文書情報出力システムであって、前記文書情報サーバが、文書識別情報と構造化文書情報とを対応付けて記憶する構造化文書情報記憶手段と、前記文書情報出力装置から当該文書情報出力装置のページ出力仕様情報と前記文書識別情報とを受信する受信手段と、前記受信した文書識別情報に対応する前記構造化文書情報を、前記構造化文書情報記憶手段から読み取る文書情報読み取り手段と、その読み取った構造化文書情報と前記受信したページ出力仕様情報とに基づいて、前記文書情報出力装置の出力する１ページ毎の分割位置を決定し、当該分割位置とページ番号とを対応付けて保持したページ情報を作成するページ情報作成手段と、前記読み取った構造化文書情報と前記ページ情報とを前記文書情報出力装置に送信する送信処理手段とを備え、前記文書情報出力装置が、前記文書情報サーバへ前記文書識別情報と前記ページ出力仕様情報とを送信する構造化文書情報要求手段と、前記文書情報サーバから受信した前記構造化文書情報及び前記ページ情報とに基づいて、前記受信した構造化文書情報の前記１ページ分を出力する出力手段とを備えることを特徴とする文書情報出力システムである。
【０００５】
本発明によれば、文書情報サーバが、文書情報出力装置から当該文書情報出力装置のページ出力仕様情報と文書識別情報とを受信し、その受信した文書識別情報に対応する構造化文書情報を、構造化文書情報記憶手段から読み取る。そしてその読み取った構造化文書情報と受信したページ出力仕様情報とに基づいて、文書情報出力装置の出力する１ページ毎の分割位置を決定し、当該分割位置とページ番号とを対応付けて保持したページ情報を作成する。また構造化文書情報記憶手段から読み取った構造化文書情報とページ情報とを文書情報出力装置に送信する。さらに文書情報出力装置が、文書情報サーバから受信した構造化文書情報及びページ情報とに基づいて、受信した構造化文書情報の１ページ分を出力する。これにより、文書情報出力装置はページ情報を参照すれば、画面に表示するデータの先頭位置と最後位置を即時に検出することができるので、文書情報出力装置の処理負荷を軽減でき、また高速に１ページのデータを画面に表示することができる。
【０００６】
また、本発明は、上述の文書情報出力システムにおいて、前記送信処理手段が、前記文書情報読み取り手段が前記構造化文書情報記憶手段から読み取った前記構造化文書情報と前記ページ情報とを前記文書情報出力装置に送信する代わりに、前記ページ情報に基づいて、前記文書情報読み取り手段が前記構造化文書情報記憶手段から読み取った前記構造化文書情報の前記１ページ分を前記文書情報出力装置に送信し、前記文書情報出力装置が、前記文書情報サーバから受信した前記１ページ分を出力する出力手段を備えることを特徴とする。これにより、文書情報出力装置はページ情報を参照して、画面に表示する1ページ分のデータの先頭位置と最後位置を検出しなくても、1ページ単位で画面に分割後の構造化文書を表示することができる。
【０００７】
また、本発明は、文書情報サーバと文書情報出力装置とが通信ネットワークを介して接続された文書情報出力システムにおける文書情報出力方法であって、前記文書情報出力装置が、前記文書情報サーバへ文書識別情報とページ出力仕様情報とを送信する構造化文書情報要求過程と、前記文書情報サーバが、前記文書情報出力装置から当該文書情報出力装置のページ出力仕様情報と前記文書識別情報とを受信する受信過程と、前記文書情報サーバが、前記受信した文書識別情報に対応する前記構造化文書情報を、前記文書識別情報と前記構造化文書情報とを対応付けて記憶する構造化文書情報記憶手段から読み取る文書情報読み取り過程と、前記文書情報サーバが、その読み取った構造化文書情報と前記受信したページ出力仕様情報とに基づいて、前記文書情報出力装置の出力する１ページ毎の分割位置を決定し、当該分割位置とページ番号とを対応付けて保持したページ情報を作成するページ情報作成過程と、前記文書情報サーバが、前記読み取った構造化文書情報と前記ページ情報とを前記文書情報出力装置に送信する送信処理過程と、前記文書情報出力装置が、前記文書情報サーバから受信した前記構造化文書情報及び前記ページ情報とに基づいて、前記受信した構造化文書情報の前記１ページ分を出力する出力過程とを有することを特徴とする文書情報出力方法である。
【０００８】
また、本発明は、前記文書情報出力装置が、前記送信処理過程において、前記文書情報読み取り過程で前記構造化文書情報記憶手段から読み取った前記構造化文書情報と前記ページ情報とを前記文書情報出力装置に送信する代わりに、前記ページ情報に基づいて、前記文書情報読み取り過程で前記構造化文書情報記憶手段から読み取った前記構造化文書情報の前記１ページ分を前記文書情報出力装置に送信し、前記文書情報出力装置が、前記出力過程において、前記文書情報サーバから受信した前記１ページ分を出力することを特徴とする。
【発明を実施するための最良の形態】
【０００９】
以下、本発明の一実施形態による文書情報出力システムを図面を参照して説明する。図１は同実施形態における文書情報出力システムの構成を示すブロック図である。この図において、符号１は文書情報サーバである。また２はＰＣなどの文書情報出力装置である。文書情報サーバ１と文書情報出力装置２とは通信ネットワークを介して接続されている。そして文書情報サーバ１において、１１は文書識別情報と構造化文書情報とを対応付けて記憶する構造化文書情報記憶部である。ここで、文書識別情報は構造化文書情報を特定する為のＵＲＬ（Uniform Resource Locator）である。また構造化文書情報はＨＴＭＬやＸＨＴＭＬで記述された文書情報であり、出力する文書の内容（要素内容）をタグ（構造の情報）によって表している。
【００１０】
また１２はインターフェース部であり、文書情報出力装置２からのアクセスに基づいて文書情報出力装置２へ文書選択用のウェブページを送信し、また文書情報出力装置２からページ出力仕様情報とＵＲＬを受信する。また１３は文書情報読み取り部であり、インターフェース部１２の受信したＵＲＬに対応する構造化文書情報を構造化文書情報記憶部１１より読み取る。また１４はページ情報作成部であり、インターフェース部１２からページ出力仕様情報を、また文書情報読み取り部１３から構造化文書情報を受け付けて、そのページ出力仕様情報と構造化文書情報とに基づいてページ情報を作成する。なおページ出力仕様情報とは、文書情報出力装置２の文書情報出力の１ページ単位のデータ量を決定できる各種情報を格納した情報であり、例えば、文書情報出力装置２がＰＣであれば、ＰＣの備えたモニタの画面の解像度（モニタの１画面で表示できる画素数）や画面サイズである。また１５は送信処理部であり、ページ情報作成部１４の作成したページ情報と文書情報読取装置１３が構造化文書情報記憶部１１から読み取った構造化文書情報とを、文書情報出力装置２に送信する。
【００１１】
また文書情報出力装置２において符号２１は送受信処理部であり、文書情報サーバ１へのページ出力仕様情報やＵＲＬの送信と、文書情報サーバ１からの構造化文書情報やページ情報の受信を行なう。また文書情報出力処理部２２は、文書情報サーバ１から受信した構造化文書情報とページ情報とに基づいて構造化文書情報を1ページずつのデータ量で分割して画面に出力する。ここで本発明における１ページのデータ量は、例えば文書情報出力装置２がＰＣや携帯端末であれば、それらの表示画面に収まるデータ量であり、また文書情報出力装置２がプリンターであれば1枚の紙に出力するデータ量である。
【００１２】
次に、構造化文書情報について説明する。図２は構造化文書情報を木構造で表した図である。この図のように、構造化文書情報は木構造で表すことができる。そして木構造の節や葉の各ノードは、ＨＴＭＬやＸＨＴＭＬなどの構造化文書情報におけるタグに対応するものである。そして文書情報サーバ１のページ情報作成部１４は、構造化文書情報によって表される木構造の節や葉のノードに対応する要素内容のデータ量を順次足していき、文書情報出力装置２が出力する１ページ分のデータ量に達した節や葉のノードを、分割位置と決定する。なお、ページ情報作成部１４の処理の詳細については後述する。
【００１３】
図３は文書情報出力システムの処理フローを示す図である。図３を用いて、文書情報出力システムにおける処理フローを順を追って説明する。
まず、文書情報出力装置２を操作するユーザが、文書情報サーバ１にアクセスする操作を行なうと、文書情報出力装置２は通信ネットワークを介して文書情報サーバ１に文書選択用ウェブページを要求する（ステップＳ１）。すると文書情報サーバ１のインターフェース部１２は、文書選択用のウェブページを文書情報出力装置２に送信する（ステップＳ２）。そして、文書情報出力装置２の画面に文書選択用のウェブページが表示される。ユーザが文書選択用のウェブページから１つ文書を選択すると文書情報出力装置２の送受信処理部２１は、ユーザの選択した文書に対応するＵＲＬと、文書情報出力装置２が予め記憶部に記憶しているページ出力仕様情報とを、文書情報サーバ１に送信する（ステップＳ３）。
【００１４】
次に、文書情報サーバ１のインターフェース部１２は、文書情報出力装置２から受信したＵＲＬを文書情報読み取り部１３に通知する。すると文書情報読み取り部１３は通知を受けたＵＲＬに対応する構造化文書情報を構造化文書情報記憶部１１から読み取る（ステップＳ４）。そして文書情報読み取り部１３は、読み取った構造化文書情報をページ情報作成部１４と送信処理部１５に転送する。次にページ情報作成部１４が、ページ出力仕様情報に含まれる文書情報出力装置２の画面サイズと画面の解像度を読み取る（ステップＳ５）。ここで文書情報出力装置２の画面の解像度が７２ｄｐｉ（dot per inch）、また画面サイズが縦×横＝１５インチ×１５インチであるとする。
【００１５】
またページ情報作成部１４は、文書情報読み取り部１３から受け付けた構造化文書情報の木構造を解析し、その木構造の節や葉に対応する構造化文書情報中のタグに基づいて、当該構造化文書情報中の要素内容を読み取り、データ量を計算する。例えば、ページ情報作成部１４が解析した木構造が図２のような木構造であるとすると、ページ情報作成部１４はまず、節ｂ１の要素内容、節ｃ１の要素内容、節ｄ１の要素内容、葉ｅ１〜ｅ３の要素内容のデータ量を順に足していく。また葉ｅ３の要素内容のデータ量まで足した後は、節ｄ２の要素内容とその子の要素内容を順次カウントしていく。つまり、画面に表示される要素内容のデータ量をその表示の順番に足していく。そしてページ情報作成部１４は、カウントしたデータ量が画面サイズと画面の解像度から得られる画面の１ページのデータ量に達すると、そのデータ量に達した葉や節の直前にカウントした要素内容の葉や根を1ページ目の分割位置として記憶する。
【００１６】
ここで、画面の解像度が７２ｄｐｉ、１文字のフォントサイズが１２ポイント、１２ポイントの文字が１２ドットで表されるとすると、１インチ四方に１２ポイントの文字が６文字入る。従ってページ出力仕様情報より画面サイズが１５インチ×１５インチであるので、文書情報出力装置２の画面には、１３５０文字表示できる。よって、ページ情報作成部１４は、木構造の節や葉に対応するタグの各要素内容に含まれる文字数を順にカウントし、データ量が１３５０文字を超えた場合には、その１３５０文字目を要素内容とするタグの節または葉の前の節または葉の木構造における位置を１ページ目の分割位置とする。そして、ページ情報作成部１４は１ページ目から順に各ページの分割位置を記録したページ情報を作成する（ステップＳ６）。
【００１７】
図２より、１ページ目の分割位置を／ａ／ｂ１／ｃ１／ｄ２／ｅ５とする。また２ページ目の分割位置を／ａ／ｂ１／ｃ２／ｄ５とする。また３ページ目の分割位置を／ａ／ｂ２／ｃ３／ｄ８とする。また４ページ目の分割位置を／ａ／ｂ２／ｃ４／ｄ１１とする。そしてページ情報作成部１４は、作成したページ情報を送信処理部１５に転送する。送信処理部１５は、文書情報読み取り部１３から受け付けた構造化文書情報とページ情報作成部１４から受け付けたページ情報とを、通信ネットワークを介して文書情報出力装置２に送信する（ステップＳ７）。
【００１８】
文書情報出力装置２の送受信処理部２１は文書情報サーバ１から構造化文書情報とページ情報とを受信すると、それらを文書情報出力処理部２２に転送する。次に文書情報出力処理部２２は、ページ情報から１ページ目の分割位置を読み込み、構造化文書情報の最初のデータから／ａ／ｂ１／ｃ１／ｄ２／ｅ５までの1ページ目のデータを画面に表示する（ステップＳ８）。次にユーザが２ページ目の出力指示を行なうと、文書情報出力装置２の文書情報出力処理部２２は、／ａ／ｂ１／ｃ１／ｄ２／ｅ５の次のデータである／ａ／ｂ１からページ情報に記載されている２ページ目の分割位置の／ａ／ｂ１／ｃ２／ｄ５までで示されるデータを画面に表示する。以降、ユーザがページの指定を行なうごとに、その前のページの分割位置の次のデータからユーザの指定したページの分割位置までで示されるデータを画面に表示していく。なお、前のページの分割位置から次のページの分割位置の木構造におけるノードを走査する方法は、構造化文書情報で表される木構造において行きがけ順で行なわれる。以上の処理により、文書情報出力装置２はユーザからページを指定されると、ページ情報を参照すれば、画面に表示するデータの先頭位置と最後位置を即時に検出することができ、構造化文書情報のうちの１ページ分のデータが分かるので、文書情報出力装置２の処理負荷を軽減でき、また高速に１ページのデータを画面に表示することができる。
【００１９】
図４はページ情報のデータ構成を示す図である。この図が示すように、ページ情報は各ページの番号とそのページ分割位置とを対応付けて保持している。そして、上述のステップＳ８の処理において、文書情報出力装置２の文書情報出力処理部２２は、ページ情報の分割位置を読み込んで、各ページのデータを把握している。
【００２０】
なお、本実施形態においては、文書情報サーバ１がページ情報と構造化文書情報を共に文書情報出力装置２に送信しているが、文書情報サーバ１がページ出力仕様情報に基づいて１ページずつ構造化文書のデータを分割し、その分割後の構造化文書を文書情報出力装置２に送信するようにしても良い。この場合、ステップＳ１〜ステップＳ６までは同様であり、その後、文書情報サーバ１の送信処理部１５がページ情報から１ページ目の分割位置を読み込み、構造化文書情報の最初のデータから／ａ／ｂ１／ｃ１／ｄ２／ｅ５までのデータを文書情報出力装置２に送信する。そして、文書情報出力装置２が受信したデータを画面に表示する。このようにすれば、文書情報出力装置２はページ情報を参照して、画面に表示する1ページ分のデータの先頭位置と最後位置を検出しなくても、1ページ単位で画面に分割後の構造化文書を表示することができる。
【００２１】
なお上述の文書情報サーバ及び文書情報出力装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２２】
また、図１における処理部の機能を実現するためのプログラムをコンピュータ読み取り可能な記録媒体に記録して、この記録媒体に記録されたプログラムをコンピュータシステムに読み込ませ、実行することにより上述の処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００２４】
【図１】文書情報出力システムの構成を示すブロック図である。
【図２】構造化文書情報を木構造で表した図である。
【図３】文書情報出力システムの処理フローを示す図である。
【図４】ページ情報のデータ構成を示す図である。
【符号の説明】
【００２５】
１・・・文書情報サーバ、２・・・文書情報出力装置、１１・・・構造化文書情報記憶部、１２・・・インターフェース部、１３・・・文書情報読み取り部、１４・・・ページ情報作成部、１５・・・送信処理部、２１・・・送受信処理部、２２・・・文書情報出力処理部
【図１】
2005115542.tif 000003
【図２】
2005115542.tif 000004
【図３】
2005115542.tif 000005
【図４】
2005115542.tif 000006